(57)【特許請求の範囲】
【請求項１】
洗面所や浴室などの壁面に取り付けられる流動体取り出し装置であって、流動体を収納し少なくとも下端が未延伸ナイロンフィルムと未延伸ポリオレフィン系フィルムを備えたラミネートフィルムによって構成されてなる合成樹脂製のスタンドパック型を呈する袋がセットされる容器本体の下側に流動体取り出し用ポンプ手段を取り付ける台部を設け、ポンプ手段は操作部が前記台部から外方に突出するように台部に支持され、このポンプ手段の流動体吸い込み用のチューブを容器本体の下端から上方に突出させてこのチューブの先端を容器本体内にセットされた前記袋の下端に突き刺すように構成したことを特徴とする流動体取り出し装置。
【発明の詳細な説明】
【０００１】
【産業上の利用分野】
本発明は、液状シャンプー、消毒液、液状化粧品などの流動体を収納する袋をセットして袋から流動体を取り出すための流動体取り出し装置に関するものである。
【０００２】
【従来の技術】
従来から家庭などで使用される液状の流動体などは例えば合成樹脂製の容器に詰められて販売されているが、容器内の流動体がなくなると合成樹脂製袋の中に入った詰め替え用流動体を購入し、この詰め替え用流動体を空の容器内に詰め替えていた。
【０００３】
しかし、上記のように詰め替え用流動体を空の容器内に詰め替えるとき、合成樹脂製の柔軟な袋を手に持って詰め替え作業を行なっており、袋が柔軟なことから袋の口部の位置が不安定であり、容器の口部と袋の口部を合わせて詰め替え作業を行なうのに手間がかかり、油断をすると容器の外に流動体がこぼれ出るという問題があった。
【０００４】
この問題を解決するために、詰め替え用流動体が入った合成樹脂製袋を空の容器内に入れ、容器の上端に備えてなる流動体取り出し部となるノズルから下方に突出する吸い込み用チューブを前記袋に突き刺し、前記容器を傾けることにより袋内の流動体をノズルから取り出すように構成したものが知られている。この場合、前記吸い込み用チューブが突き刺される部分のみならず袋全体が延伸ナイロンフイルムと未延伸ポリオレフィン系フイルムを積層してなるラミネートフイルムで構成され、吸い込み用チューブを袋に突き刺すとき、その突き刺すときの力によって吸い込み用チューブの先端で延伸ナイロンフイルムが裂ける方向に力が掛かり、それにより内側の未延伸ポリオレフィン系フイルムにも裂ける方向に力が掛かって、吸い込み用チューブが貫通した袋の孔部に裂け目が生じて、この裂け目より袋内部の流動体が容器内で漏れ、この漏れた流動体により容器内が汚れ、さらには容器外にも流動体が漏れるという問題があった。
【０００５】
【発明が解決しようとする課題】
本発明はこのような課題を解決するもので、チューブを袋に突き刺しても袋の孔部に裂け目が生じることなく、袋内部の流動体が容器内で漏れることがないようにすることを目的とするものである。
【０００６】
【課題を解決するための手段】
この課題を解決するために本発明は、洗面所や浴室などの壁面に取り付けられる流動体取り出し装置であって、流動体を収納し少なくとも下端が未延伸ナイロンフィルムと未延伸ポリオレフィン系フィルムを備えたラミネートフィルムによって構成されてなる合成樹脂製のスタンドパック型を呈する袋がセットされる容器本体の下側に流動体取り出し用ポンプ手段を取り付ける台部を設け、ポンプ手段は操作部が前記台部から外方に突出するように台部に支持され、このポンプ手段の流動体吸い込み用のチューブを容器本体の下端から上方に突出させてこのチューブの先端を容器本体内にセットされた前記袋の下端に突き刺すように構成したものである。
【０００７】
【作用】
この構成により、洗面所や浴室などの壁面に取り付けた流動体取り出し装置の容器本体内に流動体収納袋をセットすることにより、容器本体の下端から上方に突出するチューブの先端が袋の下端に突き刺さり、その状態でポンプ手段の操作部を押し戻しすることにより袋内部の流動体を流動体取り出し口から取り出すことができる。また、チューブの突き刺し部となる袋の部分は未延伸ナイロンフイルムと未延伸ポリオレフィン系フイルムを積層してなるラミネートフイルムで構成されていることから、チューブが袋に突き刺さったときに袋が裂けることなく突き刺し部における孔部がチューブに密着し、袋内部の流動体が容器内で漏れることがない。
【０００８】
【実施例】
以下、本発明の一実施例について、図面に基づいて説明する。
図１〜図４において、１は液状シャンプーや消毒液などの流動体を入れる合成樹脂製の可撓性を有する袋であって、スタンドパック型を呈し、内部に流動体を収納した状態でヒートシールにより閉じられている。２は底部や上部などにおけるヒートシール部である。前記袋１の材料としては、全体が図２に示すように未延伸ナイロンフイルム３ａと未延伸ポリオレフィン系フイルム３ｂを積層してなるラミネートフイルムが用いられる。そして、未延伸ポリオレフィン系フイルム３ｂを内側に位置させ、この未延伸ポリオレフィン系フイルム３ｂをヒートシールにより融着させて袋１を形作っている。
【０００９】
４は前記流動体を入れた袋１を収納する合成樹脂製の縦長の容器本体で、この容器本体４の下端には流動体取り出し部材としてのポンプ手段５を取り付けてなる合成樹脂製の台部６が一体的に設けられている。前記容器本体４およびその下側の台部６は背面がフラットで、前面および側面は円弧状の曲線で繋がり滑らかな形状を呈している。ところで、前記ポンプ手段５は操作部７が前記台部６の前面に突出するように台部６に支持され、前記操作部７にパイプ８を介して繋がる流動体吸い込み用のチューブ９の先端の斜めにカットされた流動体吸い込み口１０は前記台部６の上板１１のほぼ中心部を下方より貫通して上を向くようにチューブ９が上板１１に固着されている。前記上板１１の上側における容器本体４の内部空間に前記流動体を入れた袋１が容器本体４の上から収納され、この袋１の底部を前記上板１１から突出するチューブ９の流動体吸い込み口１０に押し付けて流動体吸い込み口１０を袋１の底部に突き刺すように構成されている。１２は前記操作部７から突出するように設けられた流動体取り出し口、１３は容器本体４の上端に脱着自在に設けられる合成樹脂製の蓋体、１４は前記容器本体４およびその下側の台部６の背面となる合成樹脂製の後板で、この後板１４の上端および下端のコーナー部近傍には吸盤１５が取り付けられていて、流動体取り出し装置を洗面所や浴室などのタイル面１６などに簡単に装着できるようになっている。なお、本実施例において、流動体取り出し部材としてのポンプ手段５は中密度ポリエチレンやポリプロピレンなどの硬い合成樹脂材料を用いて作られている。また、前記容器本体４の前面は透明な合成樹脂材料を用いて作られており、容器本体４内に収納された袋１内部の流動体の残量を外から確認できるようになっている。さらに、前記袋１が容器本体４内に収納されたとき、袋１の外面が容器本体４の内面にほぼ密着するように容器本体４および袋１の大きさが予め設定されている。
【００１０】
次に上記構成における使用方法について説明すると、まず例えば家庭で液状シャンプーなどの流動体が入った袋１を容器本体４の内面にほぼ密着するようにセットするとともに袋１を容器本体４に押し込むことにより袋１の下端に前記上板１１から突出するチューブ９の流動体吸い込み口１０を突き刺す。この状態で容器本体４の上端を蓋体１３で閉じておく。また、前記吸盤１５により流動体取り出し装置を洗面所や浴室などのタイル面１６などの適当な位置に装着しておく。
【００１１】
この状態で、前記ポンプ手段５の操作部７を押し戻しすることにより袋１の内部の流動体が流動体取り出し口１２から霧状あるいは泡状で取り出される。流動体の取り出しが一旦終わると、流動体取り出し口１２が上を向くように操作部７を１８０度回転させておけば液だれなどを防止することができる。
【００１２】
本実施例に使用される袋１は、前述のように未延伸ナイロンフイルム３ａと未延伸ポリオレフィン系フイルム３ｂを積層してなるラミネートフイルムを材料として作られていることからチューブ９が袋１に突き刺さったときに袋１が裂けることなくチューブ９に密着し、袋１内部の流動体が容器本体４内で漏れることがない。
【００１３】
また、袋１内部の流動体が取り出されて減ってきても、ポンプ手段５を使うので、袋１内部は真空状態となり、袋１の収縮により流動体がチューブ９の先端に集まり、袋１内部の流動体を最後迄取り出すことができる。
【００１４】
なお、袋１内部の流動体としては、液状シャンプーや消毒液の他、液状化粧品などの流動体などでも良い。
また、上記実施例において、袋１は全体が未延伸ナイロンフイルム３ａと未延伸ポリオレフィン系フイルム３ｂの２層からなるラミネートフイルムによって構成されているが、未延伸ナイロンフイルム３ａと未延伸ポリオレフィン系フイルム３ｂの間に別のフイルムを介在させて積層してあっても良く、また未延伸ナイロンフイルム３ａの外側に別のフイルムを積層してあっても良い。さらに、前記チューブ９の突き刺し部となる袋１の底部のみを未延伸ナイロンフイルム３ａと未延伸ポリオレフィン系フイルム３ｂを備えたラミネートフイルムによって構成し、他の部分を例えば延伸ナイロンフイルムと未延伸ポリオレフィン系フイルムを積層したラミネートフイルムによって構成しても良い。
【００１５】
さらに、上記実施例では流動体取り出し装置を洗面所や浴室などのタイル面などに対し吸盤１５により取り付けるようになっているが、釘やビスなどで取り付けても良く、あるいは洗面所や浴室などのタイル面などの壁面に設けたフックに係合させるようにしても良い。
【００１６】
【発明の効果】
以上のように本発明によれば、洗面所や浴室などの壁面に取り付けた流動体取り出し装置の容器本体内に流動体収納袋をセットすることにより、容器本体の下端から上方に突出するチューブの先端が袋の下端に突き刺さり、その状態でポンプ手段の操作部を押し戻しすることにより袋内部の流動体を流動体取り出し口から取り出すことができる。また、チューブの突き刺し部となる袋の部分は未延伸ナイロンフイルムと未延伸ポリオレフィン系フイルムを積層してなるラミネートフイルムで構成されていることから、チューブが袋に突き刺さったときに袋が裂けることなく突き刺し部における孔部がチューブに密着し、袋内部の流動体が容器内で漏れることがない。
【図面の簡単な説明】
【図１】本発明の一実施例における流動体取り出し装置の分解斜視図である。
【図２】同袋の底部の拡大断面図である。
【図３】同流動体取り出し装置の容器本体に袋をセットした後容器本体に蓋体を取り付けた状態を示す正面図である。
【図４】同縦断面図である。
【符号の説明】
１          袋
２          ヒートシール部
３ａ        未延伸ナイロンフイルム
３ｂ        未延伸ポリオレフィン系フイルム
４          容器本体
５          ポンプ手段
６          台部
７          操作部
８          パイプ
９          チューブ
１０          流動体吸い込み口
１１          上板
１２          流動体取り出し口
１３          蓋体
１４          後板
１５          吸盤
１６          タイル面
【図１】
0003558387.tif 000002
【図２】
0003558387.tif 000003
【図３】
0003558387.tif 000004
【図４】
0003558387.tif 000005